(57)【特許請求の範囲】
【請求項１】
光源と、
透明な媒質で構成され、前記光源からの光を長手方向に伸びた導光部の一方の端面である入光面から入射し、当該光を前記長手方向に沿って導光する導光部と、前記導光部に導かれた光を前記長手方向に亘ってライン状に出射させるための出射面を有する出光部と、前記導光部から前記出光部に進む光量を制御するために、前記導光部と出光部との間に前記導光体の長手方向に沿って、対向する位置に配置された第１及び第２の溝とを具備する導光体とを有し、
前記第１の溝の断面は楔形状で深さが前記導光部の長手方向の中央付近で最も深く前記導光部の長手方向の両端部で浅くなるように変化し、前記第２の溝の前記導光部側壁面が前記導光体内で前記導光部側底面に対してなす第１角度が、前記第２の溝の前記出光部壁面が前記導光体内で前記出光部側底面に対してなす第２角度よりも大きいことを特徴とするライン状照明装置。
【請求項２】
前記導光体は更に、前記入光面から前記長手方向に沿って前記第２の溝の深さが連続的に増加する第１の領域と、前記第１の領域から前記入光面の反対側の終端部に至るまで前記第２の溝の深さが略一定である第２の領域とを有することを特徴とする請求項１に記載のライン状照明装置。
【請求項３】
前記導光体は更に、前記入光面から前記長手方向に沿って前記第２の溝の深さが連続的に増加する第１の領域と、前記第１の領域に続いて前記入光面の反対側の終端部に向かって前記第２の溝の深さが略一定である第２の領域と、前記第２の領域に続いて前記長手方向に沿って前記終端部に至るまで前記第２の溝の深さが連続的に減少する第３の領域とを有することを特徴とする請求項１に記載のライン状照明装置。
【請求項４】
前記導光体は更に、前記入光面の反対側の終端部に、光を反射するための反射部材を配置していることを特徴とする請求項１乃至３のいずれか１項に記載のライン状照明装置。
【請求項５】
前記光源はＬＥＤであり、当該光源は、前記入光面に近接して配置されていることを特徴とする請求項１乃至４のいずれか１項に記載のライン状照明装置。
【請求項６】
請求項１乃至５のいずれか１項に記載のライン状照明装置と、
前記ライン状照明装置の出射面から照射された光が原稿を照射し、当該原稿から反射された反射光を結像するライン状の結像手段と、
前記反射光を電気信号に変換する画素を複数備えたラインセンサと、
を有することを特徴とする画像読取装置。
【発明の詳細な説明】
【技術分野】
【０００１】
本発明は、イメージスキャナ、ファクシミリあるいは複写機等の画像読取装置で使用されるライン状照明装置に係り、特に原稿の読取面を照射してその反射光を読取るイメージセンサユニットに用いられるライン状照明装置及びそれを用いた画像読取装置に関するものである。
【背景技術】
【０００２】
従来より、イメージスキャナ、ファクシミリあるいは複写機等の画像読取装置において用いられるイメージセンサのタイプには、縮小型，密着型などの種類がある。そのなかで、密着型イメージセンサ（以下ＣＩＳと略す。）は、照明装置、等倍結像光学装置、ラインセンサなどから構成されている。そして、このようなＣＩＳは、一般的に、縮小光学系を利用したイメージセンサに比べて光路長が短いため、このイメージセンサを備える機器を小型化し易いという特徴がある。このようにＣＩＳは機器への組み込みが容易であるため、縮小光学系に代わって薄型のフラットベッド型の画像読取装置等に多く使用されるようになってきた。このようなＣＩＳに使用されるライン状照明装置は、原稿面を必要な照度以上で照明し、原稿からの反射光が十分な強度を持ってラインセンサに到達するように要求されている。
【０００３】
図４は従来の密着型イメージセンサの断面図であり、導光体４２が一本の場合を示している。この密着型イメージセンサは、原稿を照射するための光源を有し、レンズアレイ４４を通して原稿４９からの反射光を光電変換素子（ＣＣＤ）で形成された受光部で受け、電気信号に変換する。
【０００４】
同図において、４３は構成部材を支持するフレーム、４４は原稿４９の光学像をラインセンサ４５上に結像するレンズアレイである。４５は原稿４９の光学像を電気信号に光電変換する受光部を複数備えたライン状に配置されたラインセンサである。４６はラインセンサ４５を搭載しているセンサ基板である。４１ｒ,４１ｇ,４１ｂのそれぞれは、原稿４９を照明するためのＬＥＤを有する光源であり、長手方向に延びた導光体４２の一方の端面に配置されている。光源ユニット４１は、ＬＥＤ４１ｒ,４１ｇ，４１ｂからの出射光を取入れ、ラインセンサ４５の１ラインの長さに亘って照明光量が略均一になるように設計された導光体４２を有している。４７はセンサ信号と外部機器を接続するコネクタ、４８は原稿４９を支持する透明ガラス製の原稿支持台である。
【０００５】
導光体４２の端面に配置されたＬＥＤから出射された光は、アクリル製の導光体４２に導かれて、その内部を複雑に反射しながら出射面（出光部）から外部に出射されて原稿４９を照明する。この導光体内での反射を助ける目的で、導光体４２の反射部や終端部（入光面の反対側）に、酸化チタン粉末やアルミニウム粉末を印刷等の手段で配置しておくのが好ましい。
【０００６】
これらライン状照明装置としては、アクリル製の棒状透明体（導光体）の一端部（入光部）に発光素子を設けたライン状の照明装置が用いられている。（詳細は、特許文献１、特許文献２及び特許文献３を参照のこと）
これら公報に記載されたライン状照明装置は、棒状の透明体（導光体）の一端のみに発光素子であるＬＥＤを配置することでコスト低減を図っている。更に、この導光体の長手方向に沿って均一な照度が得られるように導光体の形状を工夫し、ＬＥＤからの光が入射される導光体の入光面から終端部に向かってなるべく均一な照度が得られるように構成されている。
【特許文献１】日本国特許登録公報  第２６９３０９８号
【特許文献２】特開平８−１６３３２０号公報
【特許文献３】特開平１０−２４１４３２号公報
【発明の開示】
【発明が解決しようとする課題】
【０００７】
しかしながら、上記従来例では、以下のような課題があった。
【０００８】
先ず図５Ａ、図５Ｂに、上記特許文献３に記載されている従来のライン状照明装置の断面形状の一例を示し、その課題点を説明する。
【０００９】
図中の矢印は光線の方向を示す。図５Ａにおいて、入光面からの光が図面略垂直方向に進入してくる導光部５０１と、その光が出射する出光部５０２との間に、５００で示す楔形状の溝を施している。この構成では、出光部５０２から導光部５０１に戻る光５１０が比較的多く存在する。また導光部５０１から出光部５０２に進んだ光５１１も所定の方向とは異なる方向に出射している。このため、これら光は有効な照明光とならない。この結果、照明光量が不足して照射光量を上げることができないという問題があった。
【００１０】
また図５Ｂでは、５００，５０３で示すように２つの断面が楔形状の溝を施している。これらの形状においても同様に、導光部５０１側の底面５２１からの反射光５１２が出光部５０２に入り、原稿の照明に寄与しない方向に光が出射されている。また反対に、出光部５０２側の底面５２２からの反射光のように、出光部５０２から導光部５０１に光が戻ってしまって、その光が出射されなくなり原稿の照明光量が低くなるという課題があった。
【００１１】
本発明の目的は、このような従来の問題点を解決することにある。
【００１２】
本発明の特徴は、密着型イメージセンサユニットにおいて、ライン状の照明装置から出射された照明光の照度を増大するとともに、導光体の長手方向に沿った照度分布をより均一にしたライン状照明装置を提供することにある。
【００１３】
また本発明の特徴は、照明光の照度の立ち上がり特性を改善し、導光体の有効読取り長をより長くするライン状照明装置を提供することにある。
【課題を解決するための手段】
【００１４】
上記目的を達成するために本発明の一態様に係るライン状照明装置は以下のような構成を備える。即ち、
光源と、
透明な媒質で構成され、前記光源からの光を長手方向に伸びた導光部の一方の端面である入光面から入射し、当該光を前記長手方向に沿って導光する導光部と、前記導光部に導かれた光を前記長手方向に亘ってライン状に出射させるための出射面を有する出光部と、前記導光部から前記出光部に進む光量を制御するために、前記導光部と出光部との間に前記導光体の長手方向に沿って、対向する位置に配置された第１及び第２の溝とを具備する導光体とを有し、
前記第１の溝の断面は楔形状で深さが前記導光部の長手方向の中央付近で最も深く前記導光部の長手方向の両端部で浅くなるように変化し、前記第２の溝の前記導光部側壁面が前記導光体内で前記導光部側底面に対してなす第１角度が、前記第２の溝の前記出光部壁面が前記導光体内で前記出光部側底面に対してなす第２角度よりも大きいことを特徴とする。
【００１５】
また、前記導光体は更に、前記入光面から前記長手方向に沿って前記第２の溝の深さが連続的に増加する第１の領域と、前記第１の領域から前記入光面の反対側の終端部に至るまで前記第２の溝の深さが略一定である第２の領域とを有する。
【００１６】
更に、前記導光体は更に、前記入光面から前記長手方向に沿って前記第２の溝の深さが連続的に増加する第１の領域と、前記第１の領域に続いて前記入光面の反対側の終端部に向かって前記第２の溝の深さが略一定である第２の領域と、前記第２の領域に続いて前記長手方向に沿って前記終端部に向かって前記第２の溝の深さが連続的に減少する第３の領域とを有する。
【発明の効果】
【００１７】
本発明によれば、ライン状照明装置の照度が上がるばかりではなく、照度分布がより均一になる。また導光体の入光部近傍において出射される照明光の照度分布が均一なために、導光体の有効読み取り長をより長く取れて、不要なスペースが少なくなり、製品実装上も小型化できる利点がある。また導光体に対するＬＥＤの配置位置がずれても、照度分布に影響しずらくなるために、ＬＥＤの取付け工程における高さ位置調整工程を比較的簡便にすることができる。
【発明を実施するための最良の形態】
【００１８】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１９】
本実施の形態に係るライン状照明装置の導光体は、基本的には図４に示す導光体と同じ形状であるが、導光部と出光部との間に従来の楔形状の溝に代えて断面が矩形の溝構造を有することが特徴である。このように本実施の形態では、従来からのライン状照明装置に加えて、導光部近傍及び／又は出光部近傍に出射光量を制御する新たな構造を付加したことを特徴としている。
【００２０】
［実施の形態１］
本発明の実施の形態１に係るライン状照明装置の例を図１に示す。
【００２１】
図１Ａは、実施の形態１に係るライン状照明装置の導光体１００の長手方向の略中央部における断面図を示している。この導光体１００は、その長手方向に沿って導光部１０１と出光部１０２とに大別できる。この導光体１００の少なくとも片側の端面（以下、入光面１１０（図１Ｂ）という）の近傍に光源であるＬＥＤ１２０を配置する。導光部１０１は、入光面１１０の外側近傍に配置されたＬＥＤ１２０から出射された光を受取り、それを導光体１００の長手方向に伝達すると共に、出光部１０２に向かってその光を展開する機能を持つ。出光部１０２は、導光部１０１から光を受取り、出光部１０２の一部に設けられた光の出射面から所定の方向に光を出射する。これにより原稿の読取り対象部分がライン状に照明される。
【００２２】
図１Ａに示す導光体１００では、導光部１０１と出光部１０２の境界部に一定の深さを有する、断面が矩形構造の溝１０３を形成し、更に、この溝１０３に対向する位置に断面が楔形状の溝１０４を設けている。この溝１０３と溝１０４とによって、光量調節弁の役割を有することは従来例の考え方に共通している。しかし、この実施の形態１では、溝１０３の断面形状を矩形にすることによって、導光部１０１と出光部１０２との間での光の伝達をより有効に制御している。また溝１０４に関しては、導光体１００の長手方向に沿った光源からの距離に応じて溝１０４の深さを変えることにより、出光部１０２へ進入する光量を制御している。具体的には、導光体１００の長手方向の略中央付近では溝１０４の深さを最も深くし、入光面および終端部ではその深さを浅くしている。また溝１０３に関しては、導光体１０１内で導光部１０１側の底面に対する角度よりも、導光体１０１内で出光部１０２側の底面に対する角度が小さくなっている。
【００２３】
図１Ｂは、この導光体１００の全体を示す概観斜視図である。
【００２４】
この導光体１００は透明な媒質で形成され、入光面１１０から終端部に向かって溝１０３が同じ形状で形成され、溝１０４は両端部近傍で浅く、中央付近で最も深くなるように形成されている。
【００２５】
図２は、溝１０３の役割を説明するための導光体１００の断面図である。
【００２６】
図２において、図５Ａ，図５Ｂに示す従来例に比べて、溝１０３の出光面側は、縦方向の角度を持った壁面を有している。これにより導光部１０１から出光部１０２へ低い角度で直接進む光２０１を遮断するとともに、出光部１０２から導光部１０１に戻る光２０２を遮断する働きを持つ。このように、導光部１０１に属する第１の底面２１０と出光部１０２に属する第２の底面２１１よって、一度、出光部１０２に入った光が導光部１０１に戻ることが少なくなり、また導光部１０１から出光部１０２に入ってくる光も効率的に使われるので、従来例に比べて原稿上の照度を増大させることができる。
【００２７】
図３は、本実施の形態に係る照明装置の長手方向の照度分布を説明する図である。
【００２８】
図３において、光源であるＬＥＤは、入光面側、即ち、図３の左側に配置されており、縦軸は、導光体１００の長手方向に沿った原稿の照明位置における相対的な照明光量を示している。また横軸は入光面１１０からの長さ（単位はｍｍ）を示している。
【００２９】
図３において、３００で示す線は、本実施の形態に係る照明装置における照度特性を示しており、３０１で示す線は、図５Ｂに断面を示す従来例の照明装置による照度特性を示している。従来の照明装置では、入光面１１０から約１５ｍｍの位置で照度が上昇し、その後最大照度を示し、終端部に向かって徐々に減衰している。これは入光面１１０の近傍において、光源（ＬＥＤ）から出射された光の一部が直接に出光部１０２に入り込み、入光面近傍の光量を増大させるためと考えられる。
【００３０】
これに対して、本発明の実施の形態１に係る照明装置では、その傾向が緩和され、導光体１００の長手方向に亘ってほぼ均一な照度が得られることがわかる。
【００３１】
［実施の形態２］
ここで実施の形態１に係る照明装置の照度特性である図３をより細かく観察すると、入光面１１０から約１５ｍｍの付近で照度が低い領域があり、また終端部から約１０ｍｍの付近でも同様に照度がより落ちる領域があることがわかる。これは、光源１２０からの直接光が導光体１００の略中央まで進入するため、入光面１１０の近傍では光が拡散して出光部１０２に到達する光が少なくなることによると考えられる。
【００３２】
一方、従来の照明装置では、入光面から２０〜５０ｍｍの範囲で照度のピークが得られている。これは光源から直接出光部５０２に到達する光が加算されることが原因と考えられる。これに対し照明装置の入光面の極近傍部分では照度が低くなっているため、この入光面の極近傍では原稿を読取ることができない。よって、この部分は、照明装置の無駄な部分となっている。また同様に、入光面の反対側の終端部においても、終端部から数ミリメートルの範囲で照度が低下している部分がある。よって、これら照度が低くなる部分の長さをより短くして無駄な部分を少なくすることが求められている。
【００３３】
このような照度特性は、色ごとにも若干異なっている。現在多くのＣＩＳには、赤緑青の３色のＬＥＤが用いられている。これらが図４に示すように、導光体の入光面近傍に水平方向に並んで配置されている。このため、その配置された位置によって、出光部に遠いＬＥＤほど照度の立ち上がり特性が悪くなる傾向がある。その結果、入光部近傍の照度の均一性ばかりでなく、出光部での色度特性もが低下していた。
【００３４】
また、このように照度が低下する部分は原稿の読取りに使用されないので、ＣＩＳの両端部が使用できなくなり無駄となってしまう。よって照明装置のサイズを小さくしたままで全領域を有効領域とすることが課題として求められていた。
【００３５】
そこで実施の形態２では、入光部近傍の照度低下を改善するために、入光面の極近傍では溝１０３の深さを浅くして、従来遮断していた、光源１２０からの直接光の一部を出光部１０２に取入れて照明光として利用する。こうして、入光面近傍での照度が低い領域を減少させることを特徴としている。
【００３６】
図６は、本発明の実施の形態２に係る導光体１００ａの概観斜視図である。
【００３７】
この導光体１００ａは、アクリル材を図６に示す形状に成型加工したものである。この導光体１００ａの特徴は、細長い形状で、その中に光源１２０からの光を長手方向に導く導光部１０１と、原稿をライン状に照明する照明光を出射する出光部１０２を有することは前述の実施の形態１と同様である。この導光部１０１と出光部１０２とを分離する位置に、実施の形態１と同様に図６に示す溝１０４と溝１０３が形成されている。
【００３８】
この溝１０３の形状は、この導光体１００ａの長手方向に沿って、入光面１１０からの距離が約５.５ｍｍ付近までにその深さが徐々に深くなる第１の領域６０１と、その後は一定の深さで終端部まで至る形状である第２の領域６０２とを有している。この特徴は、入光面１１０からの距離が約５．５ｍｍ付近までの領域では、溝１０３の深さ及び溝１０４の深さを、略深さ無し（深さ＝０）の状態から終端部方向に向かって徐々に深くし、第１の領域６０１から第２の領域６０２に入ると、溝１０３の深さは、例えば前述の実施の形態１の深さで一定となる点にある。これにより光源１２０からの直接光や導光部１００ａの底面からの光を含めて、より多くの光が導光部１０１から出光部１０２に到達するようにしている。こうして入光面１１０近傍での照度低下を補っている。
【００３９】
入光面１１０の近傍では、ＬＥＤ１２０から直接出光部１０２に進む光があり、従来は、この直接光をなるべく使わないように溝を形成するなどして遮断していた。これに対して実施の形態２では反対に、この光源１２０からの直接光を利用することにより、入光面１１０の近傍の照度を上げることに成功した。
【００４０】
これとは反対に、入光面１１０からの距離が長い部分では、溝１０３の深さを深くし、溝１０４の深さをその距離に応じて変化させることにより光量を調節している。これにより出光部１０２へ到達する光量を調整して、導光体１００ａの長手方向の照度を均一にするようにしている。
【００４１】
この実施の形態２の導光体１００ａにより、入光面１１０の近傍の照度が向上した結果を図９を参照して説明する。
【００４２】
図９は、本発明の実施の形態１，２に係る照明装置の入光面近傍における照度の立ち上がり特性を示す図である。図において、９００は実施の形態１による結果を示し、９０１は実施の形態２における結果をそれぞれ示している。
【００４３】
図９では、入光面近傍の照度を相対値で示したが、実施の形態２では、実施の形態１に比べて、入光面からの距離が約４ｍｍ付近で照度の立ち上がりが良いことがわかる。これによって、原稿を有効に照射できる導光体の有効長が増えたことになり、一定の幅の原稿に対応した導光体としては、相対的にこの分だけ長さを短くすることができる。
【００４４】
また実施の形態２の導光体１００ａの形状では、さらに以下に述べる新たな効果を有することがわかった。
【００４５】
図１０は、本発明の実施の形態１に係る照明装置において、ＬＥＤの取付け位置が異なった時の照度分布を示す図である。
【００４６】
実施の形態１に示す導光体１００において、その入光面１１０側に配置されるＬＥＤ１２０の配置位置が縦方向にずれた場合、導光体１００の長手方向に亘って照度分布特性が異なっている。特に入光面１１０に近い領域では、ＬＥＤ１２０の取付け位置が僅かに違っても照度変化が大きいことがわかった。よって実施の形態１の照明装置においては、製造工程上でＬＥＤ１２０の取り付け高さ位置を入念に調整する必要があり、製造工程上極めて煩雑になっていた。
【００４７】
図１１は、本発明の実施の形態２に係る照明装置においてＬＥＤの取付け位置が異なった時の照度分布を示す図である。
【００４８】
図１１では、ＬＥＤの取付け位置を違えた場合の長手方向の照度分布特性を示す。これによってＬＥＤの取付け位置が異なっても、照度分布特性にはあまり変化がないことがわかる。よって製造工程上、ＬＥＤの位置合わせが簡単になり、また製品の照度分布のばらつきも小さくなるほか、製造工程時間も短縮できた。
【００４９】
［実施の形態３］
この実施の形態３では、入光面１１０の近傍に加えて終端部近傍の溝１０３の深さを段階的に変化させる構造とした。図７にその詳細を示す。
【００５０】
図７は本発明の実施の形態３に係る照明装置の導光体１００ｂの概観斜視図である。
【００５１】
この実施の形態３では、導光体１００ｂの長手方向に沿って、溝１０３の形状を図７に示したように入光面１１０から徐々に溝の深さが深くなる第１の領域７０１、一定の深さの溝１０３が形成された第２の領域７０２に加えて、終端部から約６ｍｍ付近から徐々に溝１０３が浅くなる第３の領域７０３が設けられていることが特徴である。尚、溝１０４の形状は前述の実施の形態１，２と同様である。
【００５２】
また導光体１００ｂの終端部には、アルミニウムなどからなる反射部材を配置して、光源１２０からの光の反射効率を上げている。こうすることで、終端部に光源が配置されたのと同様な構成となり、終端部近傍において照度が低下する傾向が緩和される。よって、終端部近傍において照度が低下する部位を少なくすることができる。その結果、相対的に有効な照度を与える導光体の有効長が長くなり、照度が低くて使用できない領域を短くすることが可能となった。これによって、一定の長さの原稿を照明する照明装置の長さを短くすることができるため、その分だけ画像読取装置の幅を短くすることができる。
【００５３】
尚、上述の実施の形態１，２においても、導光体１００ｂの終端部に、アルミニウムなどからなる反射部材を配置してもよい。
【００５４】
［実施の形態４］
上述した実施の形態１〜３に係る照明装置を用いたフラットベッド型イメージスキャナについて説明する。
【００５５】
図８は、本発明の実施の形態に係るイメージセンサの一応用例である画像読取装置の概観斜視図である。ここでは密着型イメージセンサを用いたフラットベッド型画像読取装置の例を示している。
【００５６】
図８において、８１は、本実施の形態の照明装置を具備したＣＩＳである。８２は原稿支持体であるガラス板、８３はＣＩＳを稼動させるワイヤ、８４はワイヤ８３を動かしてＣＩＳを読取方向に移動させるための駆動モータ、８５は原稿の圧板である。
【００５７】
駆動モータ８４を駆動させてワイヤ８３を機械的に動かすことにより、ＣＩＳ８１は読取方向（走査方向）に移動して原稿の画像情報を読取ることができる。ＣＩＳは照明部が一体に組み込まれたセンサーユニットとして構成され、照明された原稿からの反射光はＣＩＳ中のレンズアレイ（不図示）によって光電変換素子に集光され、一ラインごとに画像情報として出力される。このようにして、シート状の画像情報を読取り出力することが可能となる。
【００５８】
本実施の形態に係るＣＩＳユニットを搭載したイメージスキャナでは、照明装置の長さをより短くすることができるので、イメージスキャナの幅を短くでき、さらに画像読取装置の大きさを小さくすることに寄与できる。
【００５９】
以上説明したように本実施の形態によれば、ライン状照明装置の照度を上昇できるだけでなく、照度分布がより均一になる。
【００６０】
また導光体の入光部近傍において出射される照明光の照度分布が均一となるため、導光体の有効読み取り長をより長く取れる。これにより、不要なスペースが少なくなり、製品実装上も小型化できる利点がある。
【００６１】
また本実施の形態によれば、導光体に対するＬＥＤの配置位置がずれても照度分布に対する影響を小さくできるため、ＬＥＤの取付け工程における取り付け位置調整を比較的簡便にすることができる。
【００６２】
本願発明は上述した実施の形態に限定されるものでなく、本願発明の趣旨を逸脱しない範囲で種々の変更や修正が可能である。よって、本願発明の技術的範囲は以下の請求の範囲により特定されるべきである。
【図面の簡単な説明】
【００６３】
【図１Ａ】本発明の実施の形態１に係るライン状照明装置の断面図である。
【図１Ｂ】本発明の実施の形態１に係るライン状照明装置の斜視図である。
【図２】実施の形態１に係るライン状照明装置を用いた場合の光学的効果を示す図である。
【図３】本発明の実施の形態１によるライン状照明装置の長手方向の照度分布を示す図である。
【図４】従来の密着型イメージセンサの構成断面図である。
【図５Ａ】楔形状の溝を持った従来の照明装置の断面図である。
【図５Ｂ】楔形状の溝を持った従来の照明装置の好ましくない光の動きを示す図である。
【図６】本発明の実施の形態２に係る照明装置の構造を示す斜視図である。
【図７】本発明の実施の形態３に係る照明装置の構造を示す斜視図である。
【図８】本発明の実施の形態に係る照明装置を用いたフラットベッド型画像読取装置の一例を示す図である。
【図９】本発明の実施の形態１，２に係る照明装置の入光面近傍における照度の立ち上がり特性を示す図である。
【図１０】本発明の実施の形態１に係る照明装置においてＬＥＤの取付け位置が異なった時の照度分布を示す図である。
【図１１】本発明の実施の形態２に係る照明装置においてＬＥＤの取付け位置が異なった時の照度分布を示す図である。
【図１Ａ】
0004037888.tif 000002
【図１Ｂ】
0004037888.tif 000003
【図２】
0004037888.tif 000004
【図３】
0004037888.tif 000005
【図４】
0004037888.tif 000006
【図５Ａ】
0004037888.tif 000007
【図５Ｂ】
0004037888.tif 000008
【図６】
0004037888.tif 000009
【図７】
0004037888.tif 000010
【図８】
0004037888.tif 000011
【図９】
0004037888.tif 000012
【図１０】
0004037888.tif 000013
【図１１】
0004037888.tif 000014